【手続補正書】
【提出日】令和3年11月18日(2021.11.18)
【手続補正１】
【補正対象書類名】明細書
【補正対象項目名】０００７
【補正方法】変更
【補正の内容】
【０００７】
上記目的を達成するために、本発明の情報処理装置は、表示部を備え、前記表示部の表示言語を切り替える情報処理装置であって、前記表示部の表示言語を、前記表示部に表示された言語一覧の中からユーザによって選択された言語に切り替える第１の切り替え手段と、ユーザによる言語切替ボタンの選択に応じて、前記表示部の表示言語を、前記言語切替ボタンに対応付けられた複数の言語の何れか１つの言語に切り替える第２の切り替え手段と、ユーザによって前記言語切替ボタンが選択されたことに従って、前記表示部に表示中の言語を取得する取得手段とを備え、前記第２の切り替え手段における前記複数の言語は、ユーザによって予め設定された言語であり、前記第２の切り替え手段は、ユーザによって前記言語切替ボタンが選択されたことに従って、前記言語切替ボタンに対応付けられた複数の言語の中の一の言語であって前記表示部に表示中の言語と異なる一の言語に前記表示部の表示言語を切り替えることを特徴とする。
【手続補正２】
【補正対象書類名】特許請求の範囲
【補正対象項目名】全文
【補正方法】変更
【補正の内容】
【特許請求の範囲】
【請求項１】
表示部を備え、前記表示部の表示言語を切り替える情報処理装置であって、
前記表示部の表示言語を、前記表示部に表示された言語一覧の中からユーザによって選択された言語に切り替える第１の切り替え手段と、
ユーザによる言語切替ボタンの選択に応じて、前記表示部の表示言語を、前記言語切替ボタンに対応付けられた複数の言語の何れか１つの言語に切り替える第２の切り替え手段と、
ユーザによって前記言語切替ボタンが選択されたことに従って、前記表示部に表示中の言語を取得する取得手段とを備え、
前記第２の切り替え手段における前記複数の言語は、ユーザによって予め設定された言語であり、前記第２の切り替え手段は、ユーザによって前記言語切替ボタンが選択されたことに従って、前記言語切替ボタンに対応付けられた複数の言語の中の一の言語であって前記表示部に表示中の言語と異なる一の言語に前記表示部の表示言語を切り替えることを特徴とする情報処理装置。
【請求項２】
前記第２の切り替え手段における前記複数の言語の表示順序がユーザによって予め設定されており、ユーザによって前記言語切替ボタンが選択されたことに従って、前記表示順序に基づき表示言語を切り替えることを特徴とする請求項１に記載の情報処理装置。
【請求項３】
前記言語切替ボタンに対応付け可能な複数の言語の数は、前記第１の切り替え手段において表示される言語一覧の言語の数よりも少ないことを特徴とする請求項１又は２に記載の情報処理装置。
【請求項４】
前記言語切替ボタンに対応付けられた複数の言語が設定された切替言語情報が格納され、
前記第２の切り替え手段は、前記表示部に表示中の言語が前記切替言語情報に含まれない場合、前記切替言語情報の先頭に設定された言語に前記表示部の表示言語を切り替えることを特徴とする請求項１乃至３の何れか１項に記載の情報処理装置。
【請求項５】
前記第２の切り替え手段は、前記表示部に表示中の言語が前記切替言語情報に含まれる場合、前記切替言語情報において前記表示部に表示中の言語の次に設定された言語に前記表示部の表示言語を切り替えることを特徴とする請求項４に記載の情報処理装置。
【請求項６】
前記第２の切り替え手段は、前記表示部に表示中の言語が前記切替言語情報に含まれ且つ前記表示部に表示中の言語が前記切替言語情報の最後に設定されている場合、前記切替言語情報の先頭に設定された言語に前記表示部の表示言語を切り替えることを特徴とする請求項４又は５に記載の情報処理装置。
【請求項７】
前記情報処理装置は、画像形成処理を行う画像形成装置であることを特徴とする請求項１乃至６の何れか１項に記載の情報処理装置。
【請求項８】
表示部を備え、前記表示部の表示言語を切り替える情報処理装置の制御方法であって、
前記表示部の表示言語を、前記表示部に表示された言語一覧の中からユーザによって選択された言語に切り替える第１の切り替えステップと、
ユーザによる言語切替ボタンの選択に応じて、前記表示部の表示言語を、前記言語切替ボタンに対応付けられた複数の言語の何れか１つの言語に切り替える第２の切り替えステップと、
ユーザによって前記言語切替ボタンが選択されたことに従って、前記表示部に表示中の言語を取得する取得ステップとを有し、
前記第２の切り替えステップにおける前記複数の言語は、ユーザによって予め設定された言語であり、前記第２の切り替えステップは、ユーザによって前記言語切替ボタンが選択されたことに従って、前記言語切替ボタンに対応付けられた複数の言語の中の一の言語であって前記表示部に表示中の言語と異なる一の言語に前記表示部の表示言語を切り替えることを特徴とする情報処理装置の制御方法。
【請求項９】
前記第２の切り替えステップにおける前記複数の言語の表示順序がユーザによって予め設定されており、ユーザによって前記言語切替ボタンが選択されたことに従って、前記表示順序に基づき表示言語を切り替えることを特徴とする請求項８に記載の情報処理装置の制御方法。
【請求項１０】
前記言語切替ボタンに対応付け可能な複数の言語の数は、前記第１の切り替えステップにおいて表示される言語一覧の言語の数よりも少ないことを特徴とする請求項８又は９に記載の情報処理装置の制御方法。
【請求項１１】
前記言語切替ボタンに対応付けられた複数の言語が設定された切替言語情報が格納され、
前記第２の切り替えステップは、前記表示部に表示中の言語が前記切替言語情報に含まれない場合、前記切替言語情報の先頭に設定された言語に前記表示部の表示言語を切り替えることを特徴とする請求項８乃至１０の何れか１項に記載の情報処理装置の制御方法。
【請求項１２】
前記第２の切り替えステップは、前記表示部に表示中の言語が前記切替言語情報に含まれる場合、前記切替言語情報において前記表示部に表示中の言語の次に設定された言語に前記表示部の表示言語を切り替えることを特徴とする請求項１１に記載の情報処理装置の制御方法。
【請求項１３】
前記第２の切り替えステップは、前記表示部に表示中の言語が前記切替言語情報に含まれ且つ前記表示部に表示中の言語が前記切替言語情報の最後に設定されている場合、前記切替言語情報の先頭に設定された言語に前記表示部の表示言語を切り替えることを特徴とする請求項１１又は１２に記載の情報処理装置の制御方法。
【請求項１４】
前記情報処理装置は、画像形成処理を行う画像形成装置であることを特徴とする請求項８乃至１３の何れか１項に記載の情報処理装置の制御方法。
【請求項１５】
表示部を備え、前記表示部の表示言語を切り替える情報処理装置の制御方法をコンピュータに実行させるプログラムであって、
前記情報処理装置の制御方法は、
前記表示部の表示言語を、前記表示部に表示された言語一覧の中からユーザによって選択された言語に切り替える第１の切り替えステップと、
ユーザによる言語切替ボタンの選択に応じて、前記表示部の表示言語を、前記言語切替ボタンに対応付けられた複数の言語の何れか１つの言語に切り替える第２の切り替えステップと、
ユーザによって前記言語切替ボタンが選択されたことに従って、前記表示部に表示中の言語を取得する取得ステップとを有し、
前記第２の切り替えステップにおける前記複数の言語は、ユーザによって予め設定された言語であり、前記第２の切り替えステップは、ユーザによって前記言語切替ボタンが選択されたことに従って、前記言語切替ボタンに対応付けられた複数の言語の中の一の言語であって前記表示部に表示中の言語と異なる一の言語に前記表示部の表示言語を切り替えることを特徴とするプログラム。